(57)【特許請求の範囲】
【請求項１】
フード１と、そのフード１内部の空気を吸い込む送風機４を備え、該送風機４はファン４ｂと前記フード１内部に開口した吸込口４１を有し、前記フード１内部から前記吸込口４１に手を入れてファン４ｂを前記フード１外部に取り出しでき、前記フード１の前記吸込口４１と対峙した位置に、前記送風機４の吸込口４１に人の手が入らないようにする防護部材５を前記吸込口４１と間隔を置いて取り外し可能に取り付けると共に、この防護部材５の取り外しを検出する近接スイッチ６を設け、前記フード１の少なくとも防護部材５と対向した部分が磁化率が大きい強磁性の材料で作製されたレンジフードであって、
前記近接スイッチ６は、フード１に取り付けたリードスイッチ部７と防護部材５に取り付けたマグネット部８を有し、前記防護部材５をフード１に取り付けた状態ではマグネット部８がリードスイッチ部７に接近すると共に、防護部材５をフード１から取り外しするとマグネット部８がリードスイッチ部７から離れることでリードスイッチ部７が動作するようにし、
前記フード１におけるマグネット部８と対向した部分に開口部７４を形成し、この開口部７４よりも小さなリードスイッチ部７を、磁化率が小さく磁性の弱い材料で作製した取付部材７５を介してフード１に、前記開口部７４の内周面とリードスイッチ部７の外周面が離隔するように取り付けたことを特徴とするレンジフード。
【請求項２】
前記フード１の開口部７４を、磁化率が小さく磁性の弱い材料で作製したプレート７６で閉塞し、このプレート７６にリードスイッチ部７を取り付けた請求項１記載のレンジフード。
【請求項３】
マグネット部８は開口部７４の大きさよりも小さく、防護部材５をフード１に取り付けた状態で、当該マグネット部８が開口部７４の範囲内に位置するようにした請求項１又は２記載のレンジフード。
【請求項４】
前記防護部材５は、磁化率が大きい強磁性の材料で作製され、
この防護部材５にマグネット部８を、磁化率が小さく磁性の弱い材料で作製したマグネット取付部材８３を介して取り付けた請求項１〜３いずれか１項記載のレンジフード。
【請求項５】
前記近接スイッチ６の防護部材５の取り外し検知によって、送風機４のモータ４ｃに通電されなくするようにした請求項１〜４いずれか１項記載のレンジフード。
【発明の詳細な説明】
【技術分野】
【０００１】
本発明は、調理器具の周囲に設置されて調理により発生する油煙などの調理ガスを捕集して屋外等へ排気するレンジフードに関する。
【背景技術】
【０００２】
近年、台所用換気装置としてプロペラ式換気扇に変わり、調理器具の周囲に配置されて調理により発生する油煙などの調理ガスを、内蔵する送風機によりフード内部へと捕集し、屋外等へ排気、あるいは各種フィルターにより清浄化した空気を室内へと吹き出すレンジフードが提案されている。
例えば、特許文献１に開示したように、送風機を備えたフードに整流板を設け、フードの内面と整流板との間の隙間を通して油煙などの調理ガスを吸い込んで捕集し、屋外に排気するレンジフードが提案されている。
【先行技術文献】
【特許文献】
【０００３】
【特許文献１】特許第４４０９７１１号公報
【発明の概要】
【発明が解決しようとする課題】
【０００４】
前述した従来のレンジフードは、フード内部や送風機のファンに調理ガス中の油脂分などの油汚れが付着するので、フード内部を人が手作業で清掃することがある。
前述した送風機のファンをフード内部から取り出しできるレンジフードの場合は、フード内部のみではなく、送風機のファンを取り外してフード内部から取り出して清掃することがある。
また、対面式キッチンやアイランド式キッチンなどの普及により、リビングとキッチンが一連にレイアウトされることが多くなっていることから、レンジフードのフード内部や送風機のファンに油汚れが付着しているなどすると、油の臭いがリビング側へと伝わってしまうという悪さからもレンジフードのフード内部の清掃や送風機のファンをフード内部から取り出して清掃する機会が増えている。
前述した従来のレンジフードにおいては、整流板を取り外し、その状態でフードの内部を人が手で拭いて清掃したり、送風機のファンをフード内部から取り出してシンク等で洗うことで清掃する。このレンジフードはフィルターを備えているので、整流板とともにフィルターを取り外して清掃したり、ファンを取り出しする。
しかしながら、前述のようにフード内部を清掃したり、送風機のファンを取り出しするときに、送風機が駆動していると人の手が回転しているファンに触れることがあるので、フード内部を清掃したり、ファンを取り出すときには、コンセントを抜くなどの操作により送風機を停止操作するようにしているが、その送風機の停止操作を忘れてしまった場合には危険が生じる可能性があった。
【０００５】
そこで、本出願人は上記の問題点に鑑み、整流板をフードから取り外したことを検知するスイッチを設け、そのスイッチが整流板の取り外しを検知したときには、送風機のファンを回転するモータに通電できなくし、送風機のファンが回転している状態で整流板を取り外しするとファンが停止するようにしたレンジフードを提案した。
このレンジフードであれば、送風機の停止操作を忘れてフード内部の清掃作業やファンの取り出し作業をするために整流板を取り外しするとファンが停止するから、危険が生じることがない。
【０００６】
本出願人は、前述のスイッチとしてマグネット部とリードスイッチ部を備えた近接スイッチを用い、そのリードスイッチ部をフードに取り付けると共に、マグネット部を整流板に取り付け、整流板を取り付けたときにはリードスイッチ部とマグネット部が近接してリードスイッチ部がＯＮし、整流板を取り外したときにはリードスイッチ部とマグネット部が離れてリードスイッチ部がＯＦＦするようにし、そのリードスイッチ部のＯＮ，ＯＦＦ動作で整流板を取り外したことを検知するようにした。
前述のようにしたところ、リードスイッチ部が正常にＯＮ，ＯＦＦせずに近接スイッチが誤動作することがあった。
本出願人は、前述の近接スイッチの誤動作する原因について調査した結果、次のようであった。
前述の近接スイッチのリードスイッチ部は磁界の変化を検出してＯＮ，ＯＦＦ動作する。一方、前述のフードは安価とする等のために鋼板製であり、その鋼板は磁化率が大きい強磁性の材料である。
このために、整流板をフードに取り付け、マグネット部がリードスイッチ部に近接した状態において、フードのリードスイッチ部の周辺部分がマグネット部の磁力によって磁化され、整流板を取り外してマグネット部がリードスイッチ部から離れてもフードのリードスイッチ部の周辺部分は磁化された状態を維持し、フードのリードスイッチ部の周辺部分に磁界が生じているから、その磁界によってリードスイッチ部がＯＮし続けてＯＦＦとならないことがある。
【０００７】
このように、本出願人は、マグネット部とリードスイッチ部を備えた近接スイッチを、フードが鋼板などの磁化率が大きい強磁性の材料で作製されたレンジフードに用いるとリードスイッチ部が正常にＯＮ，ＯＦＦせずに近接スイッチが誤動作することがあることを見出し、本発明に至った。
【０００８】
本発明の目的はフードを、磁化率が大きい強磁性の鋼板で作製したレンジフードにおいて、防護部材を取り外したことをマグネット部とリードスイッチ部を備えた近接スイッチで誤動作することなく正確に検知できるようにしたレンジフードとすることである。
【課題を解決するための手段】
【０００９】
本発明のレンジフードは、フード１と、そのフード１内部の空気を吸い込む送風機４を備え、該送風機４はファン４ｂと前記フード１内部に開口した吸込口４１を有し、前記フード１内部から前記吸込口４１に手を入れてファン４ｂを前記フード１外部に取り出しでき、前記フード１の前記吸込口４１と対峙した位置に、前記送風機４の吸込口４１に人の手が入らないようにする防護部材５を前記吸込口４１と間隔を置いて取り外し可能に取り付けると共に、この防護部材５の取り外しを検出する近接スイッチ６を設け、前記フード１の少なくとも防護部材５と対向した部分が磁化率が大きい強磁性の材料で作製されたレンジフードであって、
前記近接スイッチ６は、フード１に取り付けたリードスイッチ部７と防護部材５に取り付けたマグネット部８を有し、前記防護部材５をフード１に取り付けた状態ではマグネット部８がリードスイッチ部７に接近すると共に、防護部材５をフード１から取り外しするとマグネット部８がリードスイッチ部７から離れることでリードスイッチ部７が動作するようにし、
前記フード１におけるマグネット部８と対向した部分に開口部７４を形成し、この開口部７４よりも小さなリードスイッチ部７を、磁化率が小さく磁性の弱い材料で作製した取付部材７５を介してフード１に、前記開口部７４の内周面とリードスイッチ部７の外周面が離隔するように取り付けたことを特徴とするレンジフードである。
【００１２】
本発明のレンジフードにおいては、前記フード１の開口部７４を、磁化率が小さく磁性の弱い材料で作製したプレート７６で閉塞し、このプレート７６にリードスイッチ部７を取り付けることができる。
【００１３】
このようにすれば、防護部材５を取り外した状態で開口部７４から内側が見えることがない。
しかも、レンジフードを稼動しているときに送風機４で吸い込んだ油煙等の調理ガスが開口部７４を通って内部に流れ込むことがない。
【００１４】
本発明のレンジフードにおいては、マグネット部８は開口部７４の大きさよりも小さく、防護部材５をフード１に取り付けた状態で、当該マグネット部８が開口部７４の範囲内に位置するようにできる。
【００１５】
このようにすれば、防護部材５をフード１に取り付けた状態でマグネット部８の磁力がフード１の開口部７４周縁部分に伝わり難いので、そのフード１の開口部７４周縁部分が磁化され難いから、防護部材５をフード１から取り外した状態でリードスイッチ部７はより確実にＯＮ，ＯＦＦ動作する。
【００１６】
本発明のレンジフードにおいては、前記防護部材５は、磁化率が大きい強磁性の材料で作製され、
この防護部材５にマグネット部８を、磁化率が小さく磁性の弱い材料で作製したマグネット取付部材８３を介して取り付けることができる
【００１７】
このようにすれば、防護部材５を鋼板で安価に製作できると共に、マグネット部８の磁力が防護部材５に伝わることがなく、近接スイッチ６が長期間に亘って正常に動作する。
【００１８】
本発明のレンジフードにおいては、前記近接スイッチ６の防護部材５の取り外し検知によって、送風機４のモータ４ｃに通電されなくすることができる。
【００１９】
このようにすれば、防護部材５を取り外しすることで、モータ４ｃに通電されなくなって回転しているファン４ｂが停止するので、送風機４の停止操作を忘れて清掃作業しても危険が生じることがない。
【発明の効果】
【００２１】
本発明のレンジフードによれば、磁化率が大きい強磁性の材料で作製したフード１を有したレンジフードにおいて、防護部材５を取り外したことを、マグネット部８とリードスイッチ部７を備えた近接スイッチ６で誤動作することなく正確に検知できる。
しかも、フード１を安価な鋼板を用いて製作できるから、フード１を安価にできる。
また、フード１の開口部７４の内周面とリードスイッチ部７の外周面との間には、磁化率が大きい強磁性の材料が存在しないので、マグネット部８の磁力によってリードスイッチ部７の周辺部分が磁化されることがなく、マグネット部８がリードスイッチ部７から離れるとリードスイッチ部７の周辺部分に磁界がなくなり、リードスイッチ部７は正常にＯＮ，ＯＦＦ動作し、近接スイッチ６が誤動作することがない。
したがって、防護部材５をフード１から取り外したことを近接スイッチ６で正確に検知できる。
【図面の簡単な説明】
【００２３】
【図１】本発明の第１の実施の形態を示すレンジフードの縦断面図である。
【図２】図１のＡ−Ａ断面図である。
【図３】図１の近接スイッチ取付部の拡大図である。
【図４】図３のＢ−Ｂ断面図である。
【図５】図３のリードスイッチ部の取付部の正面図である。
【図６】モータ駆動回路図である。
【図７】本発明の第２の実施の形態を示す近接スイッチ取付部の断面図である。
【発明を実施するための形態】
【００２４】
本発明の第１の実施の形態を図１〜図６に基づいて説明する。
フード１は、フード本体１ａと送風機収納体１ｂを備え、そのフード本体１ａは外郭２と内郭３を有している。
この外郭２は、上面板２０と周面板２１で下面が開口した箱形状で、その上面板２０に開口部２２が形成してあると共に、周面板２１の周縁下端部には内向きの被取付フランジ２３が設けてある。
前記内郭３は、上面板３０と周面板３１で下向きの皿形状で、その上面板３０の孔３２の周縁に筒体３３が設けてあると共に、周面板３１の周縁下端部に外向きの取付フランジ３４が設けてある。
前記内郭３の筒体３３が外郭２の開口部２２に嵌合すると共に、取付フランジ３４を被取付フランジ２３に着脱自在に連結して外郭２と内郭３を連結してフード本体１ａとしてある。
前記内郭３の下面がフード１の内部である。
【００２５】
前記送風機収納体１ｂは入口側開口２４と出口側開口２５を有した箱形状で、その内部に送風機４が設けてある。
前記送風機収納体１ｂは、その入口側開口２４が筒体３３に嵌め込むように外郭２の上面板２０に取り付けられる。
【００２６】
前記送風機４は、ケーシング４ａ内にファン４ｂを設けると共に、そのケーシング４ａに設けたモータ４ｃでファン４ｂを回転駆動するようにしてある。
前記ケーシング４ａに連通した吐出部４０が出口側開口２５に嵌合し、そのケーシング４ａに形成した吸込口４１が前記筒体３３（孔３２）と連通し、その筒体３３から吸込口４１に手を入れてロック部材４２を弛めることでモータ４ｃの回転軸４３とファン４ｂを分離できると共に、そのロック部材４２を締め付けることでモータ４ｃの回転軸４３とファン４ｂを連結できる。
このようであるから、フード１から送風機４のファン４ｂをフード１内部から容易に取り出しすることができる。
【００２７】
前記フード１、例えばフード本体１ａの内郭３には、送風機４の吸込口４１と間隔を置いて対峙し、人の手が吸込口４１に入らないようにするための防護部材５、例えば整流板５０が取り外し可能に取り付けてある。
この整流板５０とフード１（内郭３）とに亘って近接スイッチ６が取り付けてある。例えば、固定部材であるフード１（内郭３）にリードスイッチ部７を取り付けると共に、可動部材である整流板５０にマグネット部８を取り付けて近接スイッチ６としてある。
前記整流板５をフード１に取り付けた状態ではマグネット部８がリードスイッチ部７に近接又は接触してリードスイッチ部７がＯＮし、整流板５をフード１から取り外した状態ではマグネット部８がリードスイッチ部７から離れてリードスイッチ部７がＯＦＦするようにし、そのリードスイッチ部７のＯＮ，ＯＦＦ動作で整流板５０を取り外したことを検知するようにしてある。
【００２８】
このリードスイッチ部７がＯＮのときには、操作スイッチ９を操作することで、前記送風機４のモータ４ｃに通常どおりに通電制御できる。
前記リードスイッチ部７がＯＦＦのときときには操作スイッチ９の操作に関係なく、前記送風機４のモータ４ｃに通電できないようにしてある。
前記操作スイッチ９はフード１の前面、例えばフード本体１ａの外郭２の周面板２１に取り付けてある。
【００２９】
このようであるから、整流板５０を取り付けた状態では操作スイッチ９を操作することで送風機４を駆動、停止してレンジフードを通常どおり運転することができる。
また、整流板５０を取り外した状態では操作スイッチ９に関係なく送風機４のファン４ｂが停止するので、フード１内部を人の手で清掃するときにファン４ｂに触れても危険ではないし、ファン４ｂをフード１内部から取り出すときに危険が生じることがなく、これらの作業時に送風機４の停止操作を忘れても危険が生じることがない。
しかも前述の作業中に誤って操作スイッチ９に触れても送風機４のファン４ｂが回転することがなく危険が生じることがない。
【００３０】
前記整流板５０の取り付けを説明する。
前記整流板５０は平板５１の周縁に立上り片５２を設けた形状で、その立上り片５２の後側５２ａに支持軸５３が横向きに設けてある。
前記内郭３の周面板３１の後側３１ａには支持片５４が取り付けてあり、この支持片５４の先端部に前記支持軸５３が上下方向に回動自在で、かつ着脱自在に支持してある。
これにより、整流板５０は図１に示す取り付け姿勢から下方に向けて回動して下向き姿勢とし、支持軸５３を支持片５４の先端部から外すことで整流板５０を取り外しできる。
【００３１】
前記内郭３の上面板３０における前部寄りの左右両側に支持部材３５が設けてあると共に、整流板５０の平板５１の前部寄り左右両側に被支持部材５５が設けてあり、この被支持部材５５を支持部材３５で支持することで整流板５０が取り付け姿勢に支持され、その支持を解除することで整流板５０を下向き姿勢に回動できるようにしてある。
【００３２】
前記支持部材３５は、ブラケット３５ａと、このブラケット３５ａに設けた支持ピン３５ｂ、ばねケース３５ｃと、このばねケース３５ｃと支持ピン３５ｂとの間に設けたばね３５ｄを有し、その支持ピン３５ｂがばね３５ｄで支持位置に保持してある。
前記被支持部材５５は、ブラケット５５ａに支持穴５５ｂを形成したもので、整流板５０を下向き姿勢から取り付け姿勢に向けて回動することで、ブラケット５５ａで支持ピン３５ｂを押し、その支持ピン３５ｂが支持穴５５ｂに嵌まり合うことで被支持部材５５が支持部材３５に支持され取り付け姿勢に支持する。その支持ピン３５ｂをばね３５ｄに抗して押すことで支持穴５５ｂから抜き出すことで被支持部材５５の支持が解除され、下方に向けて回動することができる。
【００３３】
図１には近接スイッチ６が概略的に図示してあり、この近接スイッチ６の取り付けを図３〜図５に基づいて詳細に説明する。
前記リードスイッチ部７はスイッチ部７０を被覆材７１で被覆し、そのスイッチ部７０の前面７０ａにマグネット部８が近接するとスイッチ部７０がＯＮし、離れるとＯＦＦする。
前記被覆材７１はスイッチ部７０よりも後方に張り出して取付片７２を有し、固着具７３で後述する取付部材７５に固着してある。
前記内郭３の周面板３１の後側３１ａには、その外面と内面を連通する開口部７４が形成されている。
この開口部７４の大きさはリードスイッチ部７の前面７ａ（被覆材７１の前面）の大きさよりも大きい。
前記リードスイッチ部７は、前記内郭３の周面板３１の後側３１ａに取付部材７５を介して取り付けられ、リードスイッチ部７（前面７ａ部分）は開口部７４のほぼ中央に位置し、そのリードスイッチ部７の外周面７ｂは開口部７４の内周面７４ａと離隔し、両者の間に環状の空間が形成されている。
前記取付部材７５は磁化率が小さい磁性の弱い材料、例えばアルミニウム、ステンレス、樹脂等で作製してある。この実施の形態ではステンレス鋼板（ＳＵＳ３０４）で作製してある。
【００３４】
このようであるから、リードスイッチ部７の周辺部分には磁化率が大きい強磁性の材料が存在しない。
したがって、整流板５０が取り付け姿勢のときに、マグネット部８の磁力によりリードスイッチ部７の周辺部分が磁化されることがなく、整流板５０を取り外したときに、リードスイッチ部７の周辺部分の磁界は直ちに消え、リードスイッチ部７は直ちにＯＦＦするので、リードスイッチ部７は正常にＯＮ，ＯＦＦ動作し、近接スイッチ６が誤動作することがない。
【００３５】
この実施の形態では、前記開口部７４がプレート７６で閉塞され、整流板５０を取り外した状態で開口部７４から内郭３の内部が見えないようにしてあると共に、レンジフード運転時に送風機４で吸い込まれた油煙などの調理ガスが開口部７４から内郭３と外郭２との間に流れ込むことがないようにしてある。このプレート７６の内面に前記取付部材７５が取り付けてある。
前記プレート７６は取付部材７５と同様に、磁化率が小さい磁性の弱い材料、例えばアルミニウム、ステンレス、樹脂等で作製してある。この実施の形態ではステンレス鋼板（ＳＵＳ３０４）で作製してある。
【００３６】
前記プレート７６は中央部分に、前記開口部７４と略同一大きさの打ち出し突部７６ａを有すると共に、左右縁にＬ字形状の取付片７６ｂを有し、その取付片７６ｂを周面板３１の後側３１ａの内面に固着した取付用ブラケット７７に固着具７８で固着して取り付け、その打ち出し突部７６ａを開口部７４内に嵌まり合うようにして開口部７４を閉塞すると共に、周面板３１の後側３１ａの外面とプレート７６の外面がほぼ面一、好ましくは面一となるようにしてある。
【００３７】
このようにすることで、整流板５０を取り外した状態で開口部７４部分を目視したときに、リードスイッチ部７が見えないと共に、凹凸のない平坦な面に見えるから、見栄えが良い。
なお、開口部７４の周縁部分とプレート７６の突部７６ａとに亘ってシート（ラベル）を貼着して開口部７４、突部７６ａが見えないようにしても良い。
このようにすれば、より一層見栄えが良いと共に、シートにメンテナンス上の注意事項を記載してメンテナンスをやり易くすることができる。
【００３８】
前記取付用ブラケット７７は内郭３と同様に鋼板製で、周面板３１の後側３１ａの内面に溶接、例えばスポット溶接で固着してある。
このようであるから、周面板３１の後側３１ａの外面にリードスイッチ部７を取り付けるための固着具等が存在しないので、整流板５０を取り外したときのフード１内部（内郭３の外面）の見栄えが良い。
【００３９】
前記マグネット部８は整流板５０の立上り片５２の後側５２ａに、その前面８ａがリードスイッチ部７の前面７ａと対峙して取り付けてある。
このマグネット部８の大きさ（前面８ａ部分の大きさ）は、前記リードスイッチ部７の大きさ（前面７ａの大きさ）と略同一で、整流板５０を取り付けた状態で、そのマグネット部８は前記開口部７４の範囲内に位置し、好ましくは開口部７４の範囲のほぼ中央に位置し、マグネット部８の磁力により前記周面板３１の後側３１ａにおける開口部７４の周縁部分が磁化されることを抑制している。
したがって、前述のリードスイッチ部７の取り付けと相俟ってリードスイッチ部７がより一層確実にＯＮ，ＯＦＦ動作する。
【００４０】
前記マグネット部８は、マグネット８０を被覆材８１で被覆したもので、その被覆材８１に設けた取付片８２をマグネット取付部材８３に固着具、例えばボルト・ナット８４で固着して取り付け、そのマグネット取付部材８３を整流板５０の立上り片５２の後側５２ａに固着具、例えばボルト・ナット８５で固着して取り付けてある。
前記マグネット取付部材８３は、磁化率が小さい磁性の弱い材料、例えば、アルミニウム、ステンレス、樹脂等で作製してあり、マグネット部８の磁力が鋼板で作製した整流板５０の立上り片５２に伝わり難いので、マグネット部８の磁力が早期に消滅することがなく、近接スイッチ６が長期間に亘って正常に動作する。
【００４１】
前記操作スイッチ９は、図６に示すように強運転スイッチ９０、中運転スイッチ９１、弱運転スイッチ９２、切スイッチ９３、照明スイッチ９４等を備え、強・中・弱スイッチ９０，９１，９２は電源９５と送風機４のモータ４ｃを断続するもので、その電源９５と強・中・弱運転スイッチ９０，９１，９２の入力側との間に前記近接スイッチ６が設けてある。
前記照明スイッチ９４は照明具９６に通電するものである。
前記切スイッチ９３はＯＮとなっている運転スイッチをＯＦＦとする。
前記近接スイッチ６は運転スイッチとモータ４ｃとの接続回路に設けても良い。
【００４２】
このようであるから、いずれかの運転スイッチがＯＮの状態、つまり送風機４が駆動している状態で、整流板５０を取り外しすると近接スイッチ６がＯＦＦしてモータ４ｃに通電されなくなるので送風機４は停止する。
また、整流板５０を取り外した状態では近接スイッチ６がＯＦＦであるから、いずれの運転スイッチをＯＮしてモータ４ｃに通電されないので、送風機４が駆動することない。
【００４３】
この実施の形態では、フード本体１ａの外郭２、内郭３と送風機収納体１ｂを鋼板で作製してあるが、内郭３以外は鋼板以外の材料で作製しても良い。例えば、ステンレス板で外郭２、送風機収納体１ｂを作製又は、外郭２と送風機収納体１ｂの一方をステンレス板で作製し、他方を鋼板で作製しても良い。
すなわち、フード１の少なくとも防護部材５（整流板５０）と対向した部分を、磁化率が大きい強磁性の材料、例えば鋼板で作製したレンジフードであれば良い。
【００４４】
この実施の形態では、フード本体１ａと送風機収納体１ｂでフード１としてあるが、フード本体１ａのみでフード１とし、送風機４の吐出部４０をダクト等を介して屋外に排気するようにしても良い。
また、フード本体１ａを外郭２のみで構成しても良い。
【００４５】
前述の実施の形態では、内郭３の内面（フード１の内面）を整流板５０との隙間から流入した油煙等が送風機４の吸込口４１に直接吸い込まれるようにしたが、その吸込口４１の上流側、例えば筒体３３にフィルターを設けても良い。
この場合にはフィルターを取り外してファン４ｂを取り出しする。
【００４６】
前述の実施の形態では、開口部７４を閉塞するプレート７６を取付用ブラケット７７を介して周面板３１の後側に取り付けしたが、そのプレート７６を周面板３１の後側３１ａに直接取り付けても良い。
例えば、図７に示すようにプレート７６を周面板３１の後側３１ａの内面における開口部７４の周縁に接し、固着具、例えば、ボル・ナット７９で固着して取り付ける。
この場合には、固着具（ボルト・ナット７９）はプレート７６と同様に、磁化率が小さく磁性の弱い材料、例えばアルミニウム、ステンレス、樹脂等で作製することが望ましい。
【００４７】
前述の各実施の形態では整流板５０を防護部材５としたが、これに限ることはない。
例えば、フードを下面が開口した箱形状とし、そのフード内部にフィルターを着脱自在に取り付けてフード内部に送風機収容室を形成したレンジフードの場合には、そのフィルターが送風機の吸込口と対向するので、防護部材となる。
また、フードの下部の開口部にスリット形状の通気用開口５７ａを有した覆板を着脱自在に取り付けたレンジフードの場合には、その覆板が送風機吸込口と対向するので、防護部材となる。
【００４８】
前述の実施の形態では近接スイッチ６のＯＦＦ動作でモータ４ｃに通電しないようにしたが、これに限ることはない。
例えば、モータ４ｃに通電されている状態で、整流板５０を取り外して近接スイッチ６がＯＮ又はＯＦＦ動作したときに警告器を動作して警告を発するようにしても良い。
【００４９】
前述の説明では、近接スイッチ６をレンジフードに取り付けることについて述べたが、この近接スイッチ６の取り付けは、レンジフード以外にも適用できることは勿論である。
例えば、鋼板製の本体（固定部材）に鋼板製の引き出し（可動部材）を出し入れ自在とした収納体において、本体にリードスイッチ部を前述のように取り付けると共に、引き出したマグネット部を前述のように取り付け、引き出しを引き出し、閉じたことを近接スイッチで検知するようにできる。
【符号の説明】
【００５０】
１…フード、３…内郭、３１…周面板、３１ａ…後側、４…送風機、４ａ…ファンケーシング、４ｂ…ファン、４ｃ…モータ、５…防護部材、６…近接スイッチ、７…リードスイッチ部、８…マグネット部、９…操作スイッチ、５２…立上り片、５２ａ…後側、７４…開口部、７５…取付部材、７６…プレート、８３…マグネット取付部材。
【図１】
0005795505.tif 000002
【図２】
0005795505.tif 000003
【図３】
0005795505.tif 000004
【図４】
0005795505.tif 000005
【図５】
0005795505.tif 000006
【図６】
0005795505.tif 000007
【図７】
0005795505.tif 000008